(57)【特許請求の範囲】
【請求項１】
リストバンドを含み、
前記リストバンドの中にはリストバンド穴が前後に貫通するように設置され、前記リストバンドの上端には収納ケースが固定的に連結され、前記収納ケースの中には伝動チャンバが設置され、前記伝動チャンバの中には薬物送り装置と注射装置が設置され、前記薬物送り装置は丸薬を収納でき、且つ前記丸薬を押出せ、前記注射装置は薬物を自動的に注射でき、
前記リストバンドの下端には絶縁パイプが固定的に連結され、前記絶縁パイプの中には導線溝が上下に貫通するように形成されており、前記絶縁パイプの中には電源が固定的に連結され、前記電源の下端には通電導線が通電できるように連結され、
前記リストバンドの中には環状溝が形成されており、前記収納ケースの中には下方に開口したスライドガイドチャンバが設置され、前記スライドガイドチャンバが前記環状溝に正対しており、前記スライドガイドチャンバの中には導電板が固定的に設置され、前記導電板の上端には電磁ばねが固定的に連結され、前記電磁ばねの上端にはＴ型ブロックが固定的に連結され、前記Ｔ型ブロックの後端面の中にはラックが固定的に設置され、前記スライドガイドチャンバの後側内壁の中には歯車溝が連通するように形成されており、前記歯車溝の中には連結歯車が回転できるように設置され、前記連結歯車の前端が前記ラックに噛み合っており、前記連結歯車の中には長回転軸が固定的に連結され、前記長回転軸の右端が前記伝動チャンバの中に伸びており、且つ前記薬物送り装置と前記注射装置に連結され、
前記電源の上端には二本の連結導線が通電できるように連結され、前記絶縁パイプの下端には吸着装置が固定的に連結され、二本の前記連結導線が前記吸着装置に通電できるように連結され、前記吸着装置は患者の胸元に押し当てられて患者の心拍数を検査測定することができ、
前記吸着装置の上側には前記絶縁パイプに固定的に連結された固定ケースが設置され、前記固定ケースの中には検査測定装置が設置され、前記検査測定装置が前記連結導線に通電できるように連結されていることを特徴とする携帯しやすい救急医療設備。
【請求項２】
前記吸着装置は前記絶縁パイプの下端に固定的に連結された隔離カバーを含み、前記隔離カバーの中には下方に開口した隔離チャンバが設置され、前記隔離チャンバの中には弾性膜が固定的に設置され、前記弾性膜は弾性を持ち、前記弾性膜の上端にはスライド電極が固定的に連結され、前記隔離チャンバの上側内壁には固定電極が固定的に設置され、前記スライド電極と前記固定電極とがそれぞれ二本の前記連結導線に通電できるように連結され、前記隔離カバーの下端には吸盤が固定的に連結され、前記吸盤の中には排気チャンバが上下に貫通するように設置され、前記排気チャンバの中には接触板がスライドできるように設置され、前記接触板の上端が前記弾性膜に固定的に連結されていることを特徴とする請求項１に記載の携帯しやすい救急医療設備。
【請求項３】
前記検査測定装置は前記固定ケースの中に設置された空きチャンバを含み、前記空きチャンバの左右内壁の間には往復回転軸が回転できるように連結され、前記往復回転軸の円周面には指針が固定的に連結され、前記指針の左端と前記空きチャンバの左側内壁との間には電磁トーションばねが固定的に連結され、前記電磁トーションばねが前記スライド電極と前記固定電極との間に通電できるように連結されていることを特徴とする請求項２に記載の携帯しやすい救急医療設備。
【請求項４】
前記指針の下端には固定ブロックが固定的に連結され、前記空きチャンバの下側内壁には感応検出ヘッドが固定的に設置され、前記指針が回転することは前記固定ブロックを回転連動させることができ、前記固定ブロックが前記感応検出ヘッドに正対した時、前記感応検出ヘッドが前記固定ブロックをモニタリングでき、前記固定ケースの右端には提示ライトが固定的に連結されていることを特徴とする請求項３に記載の携帯しやすい救急医療設備。
【請求項５】
前記薬物送り装置は前記伝動チャンバの中に回転できるように、且つスライドできるように設置されたスライド平歯車を含み、前記スライド平歯車が前記長回転軸にスライドできるように連結され、前記長回転軸の前端には主動平歯車が噛み合えるように設置され、前記主動平歯車の中にはモーター軸が固定的に連結され、前記伝動チャンバの左側内壁の中には電動機が固定的に設置され、前記モーター軸の左端が前記電動機に動力を伝達できるように連結され、前記スライド平歯車の後端には従動平歯車が噛み合えるように設置され、前記従動平歯車の中には横向きスクリューが固定的に連結され、前記従動平歯車の右側には印籠がスライドできるように設置され、前記印籠の中には左方に開口した横向きねじ穴が設置され、前記横向きスクリューの右端が前記横向きねじ穴の中に伸びており、且つ前記印籠とねじ山によって連結され、前記印籠の中には上方に開口した丸薬溝が形成されており、前記丸薬溝の中には丸薬が貯蔵されていることを特徴とする請求項４に記載の携帯しやすい救急医療設備。
【請求項６】
前記伝動チャンバの右側内壁の中には右方に開口した抜き穴が連通するように設置され、前記抜き穴の上下両側内壁の間には捻れ軸が前後対称的に、且つ回転できるように連結され、前記捻れ軸の円周面には戸板が固定的に連結され、前記戸板の上下両端と前記抜き穴の上下両側内壁との間には復帰トーションばねが固定的に連結されていることを特徴とする請求項５に記載の携帯しやすい救急医療設備。
【請求項７】
前記注射装置は前記伝動チャンバの中に回転できるように、且つスライドできるように設置されたスライド傘歯車を含み、前記スライド傘歯車が前記スライド平歯車の右側に位置しており、前記スライド傘歯車が前記長回転軸にスライドできるように連結され、前記スライド傘歯車の前端には双方向傘歯車が噛み合えるように設置され、前記双方向傘歯車の左端には主動傘歯車が噛み合うように設置され、前記主動傘歯車が前記主動平歯車の右側に位置しており、且つ前記モーター軸に固定的に連結され、前記スライド傘歯車の後端には従動傘歯車が噛み合えるように設置され、前記従動傘歯車の後端には連結軸が固定的に連結され、前記伝動チャンバの後側内壁の中には減速チャンバが設置され、前記連結軸の後端が前記減速チャンバの中に伸びており、且つ前記連結軸の後端にはウォームが固定的に連結され、前記ウォームの左端にはウォームホイールが噛み合うように設置され、前記ウォームホイールの中には縦スクリューが固定的に連結され、前記減速チャンバの下側内壁の中には制限溝が形成されており、前記縦スクリューは前記制限溝を超えて伸びており、且つ前記縦スクリューには主動プーリが固定的に連結され、前記主動プーリの左右両側には従動プーリが対称的に、且つ回転できるように設置され、前記主動プーリ及び両側の前記従動プーリとの間には伝動ベルトが連結され、前記従動プーリの中には固定軸が固定的に連結され、前記主動プーリの下側にはスライド板がスライドできるように設置され、前記スライド板が前記固定軸にねじ山によって連結され、前記制限溝の下側内壁の中には下方に開口した収納チャンバが連通するように設置され、前記収納チャンバの中には注射筒がスライドできるように設置され、前記注射筒の上端が前記スライド板に固定的に連結され、前記注射筒の中には液体貯蔵チャンバが上下に貫通するように設置され、前記液体貯蔵チャンバの中にはピストンがスライドできるように設置され、前記ピストンの中には上方に開口した縦ねじ穴が設置され、前記縦スクリューの下端が前記縦ねじ穴の中に伸びており、且つ前記ピストンにねじ山によって連結されていることを特徴とする請求項６に記載の携帯しやすい救急医療設備。
【請求項８】
前記スライド平歯車と前記スライド傘歯車との間にはスライド軸が回転できるように連結され、前記スライド軸が前記長回転軸にねじ山によって連結され、前記スライド軸は前記スライド平歯車と前記スライド傘歯車とをスライド連動させることができることを特徴とする請求項７に記載の携帯しやすい救急医療設備。
【発明の詳細な説明】
【技術分野】
【０００１】
本発明は医療設備分野に関わり、具体的には携帯しやすい救急医療設備である。
【背景技術】
【０００２】
生活の中に、沢山の人は急病に掛かっており、患者は薬物を持っており、急病が突発する時の緊急治療に対応し、患者は一般的に薬物を鞄又はポケットに入れ、しかし急病の発作が起こった時、患者の体の調子が非常に悪く、薬物を速く取り出して飲むことができなく、一部の薬物は注射するのであり、これは他の人の援助が必要となり、一旦急病の発作が起こった時に薬物をタイムリー服用しないと、患者の命の安全を脅かし、本発明は携帯しやすい救急医療設備を開示し、上記の問題を解決でき、本発明は携帯しやすく、また薬物を貯蔵でき、患者の心拍数と体温をリアルタイムに監視でき、患者は急病の発作が起こった時、内服薬を自動的に送り出し又は薬液を自動的に注射して緊急治療を行い、患者の命の安全を保障する。
【先行技術文献】
【特許文献】
【０００３】
【特許文献１】中国特許出願公開第１０１８２８９９４号明細書
【発明の概要】
【発明が解決しようとする課題】
【０００４】
技術上の問題：
急病の発作が起こった時、患者は自分で薬物を服用すること又は薬液を注射することができない。
【課題を解決するための手段】
【０００５】
上記の問題を解決するために、本発明の実施例は携帯しやすい救急医療設備をデザインした。本発明の実施例の携帯しやすい救急医療設備は、リストバンドを含み、前記リストバンドの中にはリストバンド穴が前後に貫通するように設置され、手が前記リストバンド穴を通って前記リストバンドを腕首につけることができ、前記リストバンドが腕首と当接し、且つ体温をモニタリングし、前記リストバンドの上端には収納ケースが固定的に連結され、前記収納ケースの中には伝動チャンバが設置され、前記伝動チャンバの中には薬物送り装置と注射装置が設置され、前記薬物送り装置は丸薬を収納でき、且つ前記丸薬を押出せ、患者が薬物を服用することに便利を与え、前記注射装置は薬物を自動的に注射でき、前記リストバンドの下端には絶縁パイプが固定的に連結され、前記絶縁パイプの中には導線溝が上下に貫通するように形成されており、前記絶縁パイプの中には電源が固定的に連結され、前記電源の下端には通電導線が通電できるように連結され、前記リストバンドの中には環状溝が形成されており、前記収納ケースの中には下方に開口したスライドガイドチャンバが設置され、前記スライドガイドチャンバが前記環状溝に正対しており、前記スライドガイドチャンバの中には導電板が固定的に設置され、前記通電導線の上端が前記環状溝を通っており、且つ前記導電板に通電できるように連結され、前記導電板の上端には電磁ばねが固定的に連結され、前記電磁ばねの上端にはＴ型ブロックが固定的に連結され、前記Ｔ型ブロックの後端面の中にはラックが固定的に設置され、前記スライドガイドチャンバの後側内壁の中には歯車溝が連通するように形成されており、前記歯車溝の中には連結歯車が回転できるように設置され、前記連結歯車の前端が前記ラックに噛み合っており、前記連結歯車の中には長回転軸が固定的に連結され、前記長回転軸の右端が前記伝動チャンバの中に伸びており、且つ前記薬物送り装置と前記注射装置に連結され、前記電源の上端には二本の連結導線が通電できるように連結され、前記絶縁パイプの下端には吸着装置が固定的に連結され、二本の前記連結導線が前記吸着装置に通電できるように連結され、前記吸着装置は患者の胸元に押し当てられて患者の心拍数を検査測定することができ、前記吸着装置の上側には前記絶縁パイプに固定的に連結された固定ケースが設置され、前記固定ケースの中には検査測定装置が設置され、前記検査測定装置が前記連結導線に通電できるように連結され、前記検査測定装置は二本の前記連結導線の間の電圧の変化率を検査測定でき、電圧の変化率は正常値から外れた時、患者に警報を出し、患者に体の情況を注意させ、患者の心拍が突然止まり又は前記リストバンドが患者の体温が比較的に高いことを検査測定した時、前記電源によって前記通電導線を通電させ、且つ前記薬物送り装置と前記注射装置とを駆動する。
【０００６】
有益なように、前記吸着装置は前記絶縁パイプの下端に固定的に連結された隔離カバーを含み、前記隔離カバーの中には下方に開口した隔離チャンバが設置され、前記隔離チャンバの中には弾性膜が固定的に設置され、前記弾性膜は弾性を持ち、前記弾性膜の上端にはスライド電極が固定的に連結され、前記隔離チャンバの上側内壁には固定電極が固定的に設置され、前記スライド電極と前記固定電極とがそれぞれ二本の前記連結導線に通電できるように連結され、前記隔離カバーの下端には吸盤が固定的に連結され、前記吸盤の中には排気チャンバが上下に貫通するように設置され、前記排気チャンバの中には接触板がスライドできるように設置され、前記接触板の上端が前記弾性膜に固定的に連結され、前記吸盤と前記接触板とを胸元に押し当て、前記吸盤に圧力をかけ、それによって前記排気チャンバの中の空気を排出することができ、さらに前記吸盤が胸元にくっついて落ちることを回避し、患者の心臓の搏動は前記接触板をスライド連動させることができ、さらに前記弾性膜と前記スライド電極とを押し動かしてスライドさせることができ、さらに前記スライド電極と前記固定電極との間の距離を変えられ、且つ前記スライド電極と前記固定電極との間の電圧を変えられ、患者の心拍数が速ければ、前記スライド電極と前記固定電極との間の電圧の変化が速い。
【０００７】
有益なように、前記検査測定装置は前記固定ケースの中に設置された空きチャンバを含み、前記空きチャンバの左右内壁の間には往復回転軸が回転できるように連結され、前記往復回転軸の円周面には指針が固定的に連結され、前記指針の左端と前記空きチャンバの左側内壁との間には電磁トーションばねが固定的に連結され、前記電磁トーションばねが前記スライド電極と前記固定電極との間に通電できるように連結され、前記スライド電極と前記固定電極との間の電圧が変わると、前記電磁トーションばねを捻じれ、さらに前記指針を回転連動させることができる。
【０００８】
好ましくは、前記指針の下端には固定ブロックが固定的に連結され、前記空きチャンバの下側内壁には感応検出ヘッドが固定的に設置され、前記指針が回転することは前記固定ブロックを回転連動させることができ、前記固定ブロックが前記感応検出ヘッドに正対した時、前記感応検出ヘッドが前記固定ブロックをモニタリングでき、前記固定ケースの右端には提示ライトが固定的に連結され、前記感応検出ヘッドは前記固定ブロックの間の時間間隔が正常値から外れることを二回監視すると、患者の心拍数は正常値から外れることを反映し、この時、前記提示ライトを点し、患者に体の情況を注意させ、前記固定ブロックが回転しなくなり、すなわち前記感応検出ヘッドが始終に前記固定ブロックをモニタリングできる時、患者の心臓の搏動が止まったことを反映し、この時、前記電源によって前記注射装置を駆動する。
【０００９】
有益なように、前記薬物送り装置は前記伝動チャンバの中に回転できるように、且つスライドできるように設置されたスライド平歯車を含み、前記スライド平歯車が前記長回転軸にスライドできるように連結され、前記長回転軸の前端には主動平歯車が噛み合えるように設置され、前記主動平歯車の中にはモーター軸が固定的に連結され、前記伝動チャンバの左側内壁の中には電動機が固定的に設置され、前記モーター軸の左端が前記電動機に動力を伝達できるように連結され、前記スライド平歯車の後端には従動平歯車が噛み合えるように設置され、前記従動平歯車の中には横向きスクリューが固定的に連結され、前記従動平歯車の右側には印籠がスライドできるように設置され、前記印籠の中には左方に開口した横向きねじ穴が設置され、前記横向きスクリューの右端が前記横向きねじ穴の中に伸びており、且つ前記印籠とねじ山によって連結され、前記印籠の中には上方に開口した丸薬溝が形成されており、前記丸薬溝の中には丸薬が貯蔵されており、前記印籠が前記伝動チャンバを滑り出、さらに前記丸薬を自動的に押し出せ、患者が薬物を服用することに便利を与える。
【００１０】
好ましくは、前記伝動チャンバの右側内壁の中には右方に開口した抜き穴が連通するように設置され、前記抜き穴の上下両側内壁の間には捻れ軸が前後対称的に、且つ回転できるように連結され、前記捻れ軸の円周面には戸板が固定的に連結され、前記戸板の上下両端と前記抜き穴の上下両側内壁との間には復帰トーションばねが固定的に連結され、前記印籠が右方にスライドし、且つ前記戸板を押し動かして回転させ、さらに前記抜き穴を開けられ、この時、前記印籠は前記伝動チャンバを滑り出ることができる。
【００１１】
有益なように、前記注射装置は前記伝動チャンバの中に回転できるように、且つスライドできるように設置されたスライド傘歯車を含み、前記スライド傘歯車が前記スライド平歯車の右側に位置しており、前記スライド傘歯車が前記長回転軸にスライドできるように連結され、前記スライド傘歯車の前端には双方向傘歯車が噛み合えるように設置され、前記双方向傘歯車の左端には主動傘歯車が噛み合うように設置され、前記主動傘歯車が前記主動平歯車の右側に位置しており、且つ前記モーター軸に固定的に連結され、前記スライド傘歯車の後端には従動傘歯車が噛み合えるように設置され、前記従動傘歯車の後端には連結軸が固定的に連結され、前記伝動チャンバの後側内壁の中には減速チャンバが設置され、前記連結軸の後端が前記減速チャンバの中に伸びており、且つ前記連結軸の後端にはウォームが固定的に連結され、前記ウォームの左端にはウォームホイールが噛み合うように設置され、前記ウォームホイールの中には縦スクリューが固定的に連結され、前記減速チャンバの下側内壁の中には制限溝が形成されており、前記縦スクリューは前記制限溝を超えて伸びており、且つ前記縦スクリューには主動プーリが固定的に連結され、前記主動プーリの左右両側には従動プーリが対称的に、且つ回転できるように設置され、前記主動プーリ及び両側の前記従動プーリとの間には伝動ベルトが連結され、前記従動プーリの中には固定軸が固定的に連結され、前記主動プーリの下側にはスライド板がスライドできるように設置され、前記スライド板が前記固定軸にねじ山によって連結され、前記制限溝の下側内壁の中には下方に開口した収納チャンバが連通するように設置され、前記収納チャンバの中には注射筒がスライドできるように設置され、前記注射筒の上端が前記スライド板に固定的に連結され、前記注射筒の中には液体貯蔵チャンバが上下に貫通するように設置され、前記液体貯蔵チャンバの中にはピストンがスライドできるように設置され、前記ピストンの中には上方に開口した縦ねじ穴が設置され、前記縦スクリューの下端が前記縦ねじ穴の中に伸びており、且つ前記ピストンにねじ山によって連結されている。
【００１２】
好ましくは、前記スライド平歯車と前記スライド傘歯車との間にはスライド軸が回転できるように連結され、前記スライド軸が前記長回転軸にねじ山によって連結され、前記スライド軸は前記スライド平歯車と前記スライド傘歯車とをスライド連動させることができ、前記スライド平歯車が前記主動平歯車及び前記従動平歯車と噛み合った時、前記スライド傘歯車が前記双方向傘歯車及び前記従動傘歯車と噛み合っていなく、前記スライド傘歯車が前記双方向傘歯車及び前記従動傘歯車と噛み合った時、前記スライド平歯車が前記主動平歯車及び前記従動平歯車との噛み合いから離脱する。
【発明の効果】
【００１３】
本発明の有益的な効果は：本発明は携帯しやすくて薬物を貯蔵でき、患者の心拍数と体温をリアルタイムに監視でき、患者は急病の発作が起こった時、内服薬を自動的に送り出し又は薬液を自動的に注射して緊急治療を行い、患者の命の安全を保障する。
【図面の簡単な説明】
【００１４】
説明しやすいために、本発明を下記の具体的な実施例及び附図をもって詳しく説明する。下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の携帯しやすい救急医療設備の全体構成概略図
【図２】図２は図１の「Ａ」の拡大概略図
【図３】図３は図１の「Ｂ」の拡大概略図
【図４】図４は図２の「Ｃ―Ｃ」方向の構成概略図
【図５】図５は図４の「Ｄ」の拡大概略図
【図６】図６は図４の「Ｅ―Ｅ」方向の構成概略図
【図７】図７は図４の「Ｆ―Ｆ」方向の構成概略図
【図８】図８は図５の「Ｇ―Ｇ」方向の構成概略図
【発明を実施するための形態】
【００１６】
本発明は携帯しやすい救急医療設備に関わり、主に急病の発作が起こった時の緊急治療に応用され、下記に本発明の附図を合わせて本発明について詳しく説明する。
【００１７】
本発明に記載の携帯しやすい救急医療設備は、リストバンド２５を含み、前記リストバンド２５の中にはリストバンド穴２４が前後に貫通するように設置され、手が前記リストバンド穴２４を通って前記リストバンド２５を腕首につけることができ、前記リストバンド２５が腕首と当接し、且つ体温をモニタリングし、前記リストバンド２５の上端には収納ケース２６が固定的に連結され、前記収納ケース２６の中には伝動チャンバ２９が設置され、前記伝動チャンバ２９の中には薬物送り装置１００と注射装置１０１が設置され、前記薬物送り装置１００は丸薬６３を収納でき、且つ前記丸薬６３を押出せ、患者が薬物を服用することに便利を与え、前記注射装置１０１は薬物を自動的に注射でき、前記リストバンド２５の下端には絶縁パイプ２２が固定的に連結され、前記絶縁パイプ２２の中には導線溝２１が上下に貫通するように形成されており、前記絶縁パイプ２２の中には電源１９が固定的に連結され、前記電源１９の下端には通電導線２０が通電できるように連結され、前記リストバンド２５の中には環状溝２３が形成されており、前記収納ケース２６の中には下方に開口したスライドガイドチャンバ３５が設置され、前記スライドガイドチャンバ３５が前記環状溝２３に正対しており、前記スライドガイドチャンバ３５の中には導電板２７が固定的に設置され、前記通電導線２０の上端が前記環状溝２３を通っており、且つ前記導電板２７に通電できるように連結され、前記導電板２７の上端には電磁ばね２８が固定的に連結され、前記電磁ばね２８の上端にはＴ型ブロック３４が固定的に連結され、前記Ｔ型ブロック３４の後端面の中にはラック５６が固定的に設置され、前記スライドガイドチャンバ３５の後側内壁の中には歯車溝５４が連通するように形成されており、前記歯車溝５４の中には連結歯車５５が回転できるように設置され、前記連結歯車５５の前端が前記ラック５６に噛み合っており、前記連結歯車５５の中には長回転軸３０が固定的に連結され、前記長回転軸３０の右端が前記伝動チャンバ２９の中に伸びており、且つ前記薬物送り装置１００と前記注射装置１０１に連結され、前記電源１９の上端には二本の連結導線７７が通電できるように連結され、前記絶縁パイプ２２の下端には吸着装置１０２が固定的に連結され、二本の前記連結導線７７が前記吸着装置１０２に通電できるように連結され、前記吸着装置１０２は患者の胸元に押し当てられて患者の心拍数を検査測定することができ、前記吸着装置１０２の上側には前記絶縁パイプ２２に固定的に連結された固定ケース４１が設置され、前記固定ケース４１の中には検査測定装置１０３が設置され、前記検査測定装置１０３が前記連結導線７７に通電できるように連結され、前記検査測定装置１０３は二本の前記連結導線７７の間の電圧の変化率を検査測定でき、電圧の変化率は正常値から外れた時、患者に警報を出し、患者に体の情況を注意させ、患者の心拍が突然止まり又は前記リストバンド２５が患者の体温が比較的に高いことを検査測定した時、前記電源１９によって前記通電導線２０を通電させ、且つ前記薬物送り装置１００と前記注射装置１０１とを駆動する。
【００１８】
実施例によって、下記に前記吸着装置１０２について詳しく説明し、前記吸着装置１０２は前記絶縁パイプ２２の下端に固定的に連結された隔離カバー１６を含み、前記隔離カバー１６の中には下方に開口した隔離チャンバ１７が設置され、前記隔離チャンバ１７の中には弾性膜１５が固定的に設置され、前記弾性膜１５は弾性を持ち、前記弾性膜１５の上端にはスライド電極１４が固定的に連結され、前記隔離チャンバ１７の上側内壁には固定電極１８が固定的に設置され、前記スライド電極１４と前記固定電極１８とがそれぞれ二本の前記連結導線７７に通電できるように連結され、前記隔離カバー１６の下端には吸盤１１が固定的に連結され、前記吸盤１１の中には排気チャンバ１２が上下に貫通するように設置され、前記排気チャンバ１２の中には接触板１３がスライドできるように設置され、前記接触板１３の上端が前記弾性膜１５に固定的に連結され、前記吸盤１１と前記接触板１３とを胸元に押し当て、前記吸盤１１に圧力をかけ、それによって前記排気チャンバ１２の中の空気を排出することができ、さらに前記吸盤１１が胸元にくっついて落ちることを回避し、患者の心臓の搏動は前記接触板１３をスライド連動させることができ、さらに前記弾性膜１５と前記スライド電極１４とを押し動かしてスライドさせることができ、さらに前記スライド電極１４と前記固定電極１８との間の距離を変えられ、且つ前記スライド電極１４と前記固定電極１８との間の電圧を変えられ、患者の心拍数が速ければ、前記スライド電極１４と前記固定電極１８との間の電圧の変化が速い。
【００１９】
実施例によって、下記に前記検査測定装置１０３について詳しく説明し、前記検査測定装置１０３は前記固定ケース４１の中に設置された空きチャンバ３７を含み、前記空きチャンバ３７の左右内壁の間には往復回転軸７９が回転できるように連結され、前記往復回転軸７９の円周面には指針３６が固定的に連結され、前記指針３６の左端と前記空きチャンバ３７の左側内壁との間には電磁トーションばね７８が固定的に連結され、前記電磁トーションばね７８が前記スライド電極１４と前記固定電極１８との間に通電できるように連結され、前記スライド電極１４と前記固定電極１８との間の電圧が変わると、前記電磁トーションばね７８を捻じれ、さらに前記指針３６を回転連動させることができる。
【００２０】
有益なように、前記指針３６の下端には固定ブロック３９が固定的に連結され、前記空きチャンバ３７の下側内壁には感応検出ヘッド４０が固定的に設置され、前記指針３６が回転することは前記固定ブロック３９を回転連動させることができ、前記固定ブロック３９が前記感応検出ヘッド４０に正対した時、前記感応検出ヘッド４０が前記固定ブロック３９をモニタリングでき、前記固定ケース４１の右端には提示ライト３８が固定的に連結され、前記感応検出ヘッド４０は前記固定ブロック３９の間の時間間隔が正常値から外れることを二回監視すると、患者の心拍数は正常値から外れることを反映し、この時、前記提示ライト３８を点し、患者に体の情況を注意させ、前記固定ブロック３９が回転しなくなり、すなわち前記感応検出ヘッド４０が始終に前記固定ブロック３９をモニタリングできる時、患者の心臓の搏動が止まったことを反映し、この時、前記電源１９によって前記注射装置１０１を駆動する。
【００２１】
実施例によって、下記に前記薬物送り装置１００について詳しく説明し、前記薬物送り装置１００は前記伝動チャンバ２９の中に回転できるように、且つスライドできるように設置されたスライド平歯車３３を含み、前記スライド平歯車３３が前記長回転軸３０にスライドできるように連結され、前記長回転軸３０の前端には主動平歯車４４が噛み合えるように設置され、前記主動平歯車４４の中にはモーター軸４３が固定的に連結され、前記伝動チャンバ２９の左側内壁の中には電動機４２が固定的に設置され、前記モーター軸４３の左端が前記電動機４２に動力を伝達できるように連結され、前記スライド平歯車３３の後端には従動平歯車５３が噛み合えるように設置され、前記従動平歯車５３の中には横向きスクリュー５８が固定的に連結され、前記従動平歯車５３の右側には印籠５９がスライドできるように設置され、前記印籠５９の中には左方に開口した横向きねじ穴５７が設置され、前記横向きスクリュー５８の右端が前記横向きねじ穴５７の中に伸びており、且つ前記印籠５９とねじ山によって連結され、前記印籠５９の中には上方に開口した丸薬溝６４が形成されており、前記丸薬溝６４の中には丸薬６３が貯蔵されており、前記印籠５９が前記伝動チャンバ２９を滑り出、さらに前記丸薬６３を自動的に押し出せ、患者が薬物を服用することに便利を与える。
【００２２】
有益なように、前記伝動チャンバ２９の右側内壁の中には右方に開口した抜き穴６０が連通するように設置され、前記抜き穴６０の上下両側内壁の間には捻れ軸６２が前後対称的に、且つ回転できるように連結され、前記捻れ軸６２の円周面には戸板６１が固定的に連結され、前記戸板６１の上下両端と前記抜き穴６０の上下両側内壁との間には復帰トーションばね７６が固定的に連結され、前記印籠５９が右方にスライドし、且つ前記戸板６１を押し動かして回転させ、さらに前記抜き穴６０を開けられ、この時、前記印籠５９は前記伝動チャンバ２９を滑り出ることができる。
【００２３】
実施例によって、下記に前記注射装置１０１について詳しく説明し、前記注射装置１０１は前記伝動チャンバ２９の中に回転できるように、且つスライドできるように設置されたスライド傘歯車３１を含み、前記スライド傘歯車３１が前記スライド平歯車３３の右側に位置しており、前記スライド傘歯車３１が前記長回転軸３０にスライドできるように連結され、前記スライド傘歯車３１の前端には双方向傘歯車４６が噛み合えるように設置され、前記双方向傘歯車４６の左端には主動傘歯車４５が噛み合うように設置され、前記主動傘歯車４５が前記主動平歯車４４の右側に位置しており、且つ前記モーター軸４３に固定的に連結され、前記スライド傘歯車３１の後端には従動傘歯車４７が噛み合えるように設置され、前記従動傘歯車４７の後端には連結軸４８が固定的に連結され、前記伝動チャンバ２９の後側内壁の中には減速チャンバ４９が設置され、前記連結軸４８の後端が前記減速チャンバ４９の中に伸びており、且つ前記連結軸４８の後端にはウォーム５０が固定的に連結され、前記ウォーム５０の左端にはウォームホイール５１が噛み合うように設置され、前記ウォームホイール５１の中には縦スクリュー５２が固定的に連結され、前記減速チャンバ４９の下側内壁の中には制限溝６７が形成されており、前記縦スクリュー５２は前記制限溝６７を超えて伸びており、且つ前記縦スクリュー５２には主動プーリ７５が固定的に連結され、前記主動プーリ７５の左右両側には従動プーリ６５が対称的に、且つ回転できるように設置され、前記主動プーリ７５及び両側の前記従動プーリ６５との間には伝動ベルト７４が連結され、前記従動プーリ６５の中には固定軸７３が固定的に連結され、前記主動プーリ７５の下側にはスライド板６６がスライドできるように設置され、前記スライド板６６が前記固定軸７３にねじ山によって連結され、前記制限溝６７の下側内壁の中には下方に開口した収納チャンバ６９が連通するように設置され、前記収納チャンバ６９の中には注射筒６８がスライドできるように設置され、前記注射筒６８の上端が前記スライド板６６に固定的に連結され、前記注射筒６８の中には液体貯蔵チャンバ７０が上下に貫通するように設置され、前記液体貯蔵チャンバ７０の中にはピストン７２がスライドできるように設置され、前記ピストン７２の中には上方に開口した縦ねじ穴７１が設置され、前記縦スクリュー５２の下端が前記縦ねじ穴７１の中に伸びており、且つ前記ピストン７２にねじ山によって連結されている。
【００２４】
有益なように、前記スライド平歯車３３と前記スライド傘歯車３１との間にはスライド軸３２が回転できるように連結され、前記スライド軸３２が前記長回転軸３０にねじ山によって連結され、前記スライド軸３２は前記スライド平歯車３３と前記スライド傘歯車３１とをスライド連動させることができ、前記スライド平歯車３３が前記主動平歯車４４及び前記従動平歯車５３と噛み合った時、前記スライド傘歯車３１が前記双方向傘歯車４６及び前記従動傘歯車４７と噛み合っていなく、前記スライド傘歯車３１が前記双方向傘歯車４６及び前記従動傘歯車４７と噛み合った時、前記スライド平歯車３３が前記主動平歯車４４及び前記従動平歯車５３との噛み合いから離脱する。
【００２５】
下記に附図１〜８を合わせて本発明の携帯しやすい救急医療設備の使用ステップを詳しく説明する。
【００２６】
初期状態にある時、電源１９がオフにあり、この時、導電板２７と電磁ばね２８とが通電していなく、Ｔ型ブロック３４が下側の限界位置にあり、スライド平歯車３３とスライド傘歯車３１とが左側の限界位置にあり、印籠５９が完全に伝動チャンバ２９の中に位置しており、戸板６１によって抜き穴６０を閉め、注射筒６８が完全に収納チャンバ６９の中に位置しており、固定ブロック３９が感応検出ヘッド４０に正対しており、丸薬６３が丸薬溝６４の中に位置しており、液体貯蔵チャンバ７０の中には注射する薬液を貯蔵している。
【００２７】
使用の時、吸盤１１と接触板１３とを患者の胸元に押し当て、吸盤１１に圧力をかけ、排気チャンバ１２の中の空気を排出し、それによって吸盤１１が胸元に吸着することができ、吸盤が落ちるのを回避し、患者の心臓の搏動は接触板１３をスライド連動させることができ、さらに弾性膜１５とスライド電極１４とを押し動かし、患者の手をリストバンド穴２４から通し、リストバンド２５を腕元につけ、リストバンド２５によって患者の体温をモニタリングし、この時、電源１９をオンにして連結導線７７を通電させ、且つスライド電極１４と固定電極１８とを通電させ、スライド電極１４がスライドすることによってスライド電極１４と固定電極１８との間の電圧を変えられ、さらに電磁トーションばね７８を捻じれ、さらに指針３６を回転連動させることができ、さらに固定ブロック３９を回転連動させ、感応検出ヘッド４０によって固定ブロック３９の回転をモニタリングでき、患者の心拍数は速ければ、前記スライド電極１４と前記固定電極１８との間の電圧の変化は速く、さらに電磁トーションばね７８の捻り頻度は速く、さらに感応検出ヘッド４０によって監視された固定ブロック３９の回転頻度は速く、患者の心拍数は遅ければ、感応検出ヘッド４０によって監視された固定ブロック３９の回転頻度は遅く、感応検出ヘッド４０によって監視された固定ブロック３９の回転頻度が正常値の範囲から外れた時、提示ライト３８を点し、それによって患者に体の情況を注意させる。
【００２８】
リストバンド２５によって患者の体温が正常値から外れたことを監視した時、電源１９をオンにし、通電導線２０に小さい電流を通し、この時、通電導線２０によって導電板２７及び電磁ばね２８とに小さい電流を通し、さらに電磁ばね２８によってＴ型ブロック３４を押し動かして上方にスライドさせ、さらにラック５６によって連結歯車５５を回転連動させ、さらに長回転軸３０によってスライド軸３２をスライド連動させ、さらにスライド平歯車３３とスライド傘歯車３１とをスライド連動させ、電磁ばね２８の中に小さい電流が流れていることで、スライド平歯車３３が主動平歯車４４及び従動平歯車５３と噛み合った時、電磁ばね２８がＴ型ブロック３４を押し動かしてスライドさせなくなり、この時、スライド傘歯車３１が双方向傘歯車４６及び従動傘歯車４７と噛み合っており、電動機４２を始動し、さらにモーター軸４３によって主動平歯車４４を回転連動させ、さらにスライド平歯車３３を回転連動させ、さらに従動平歯車５３を回転連動させ、さらに横向きスクリュー５８が印籠５９を右方にスライド連動させ、さらに戸板６１を押し動かして揺れ動かせ、且つ抜き穴６０を開け、この時、印籠５９が右方に伝動チャンバ２９を滑り出、且つ丸薬６３を押出し、患者が丸薬６３を服用するのに便利を与え、丸薬を服用した後、電動機４２を逆方向に回転させ、さらに印籠５９を伝動チャンバ２９の中に引き戻し、この時、戸板６１が復帰トーションばね７６の弾力作用の下で揺れ動き、且つ抜き穴６０を閉める。
【００２９】
感応検出ヘッド４０によって固定ブロック３９を始終に監視できる時、患者の心臓の搏動が止まったことを示し、この時、電源１９をオンにし、通電導線２０に大電流を通し、この時、電磁ばね２８に大電流が流れ、且つＴ型ブロック３４を押し動かしてスライドさせ、スライド傘歯車３１が双方向傘歯車４６及び従動傘歯車４７と噛み合った時、Ｔ型ブロック３４がスライドしなくなり、この時、スライド平歯車３３が主動平歯車４４及び従動平歯車５３との噛み合いから離脱し、この時、電動機４２を始動し、さらにモーター軸４３によって主動平歯車４４を回転連動させ、さらに双方向傘歯車４６を回転連動させ、さらにスライド傘歯車３１を回転連動させ、さらに従動傘歯車４７を回転連動させ、さらに連結軸４８によってウォーム５０を回転連動させ、さらにウォームホイール５１を回転連動させ、さらに縦スクリュー５２によって主動プーリ７５を回転連動させ、さらに伝動ベルト７４によって従動プーリ６５を回転連動させ、さらに固定軸７３によってスライド板６６を下方にスライド連動させ、さらに注射筒６８を下方にスライド連動させて薬液を患者の体に注射し、それと同時に縦スクリュー５２がピストン７２を下方にスライド連動させ、ピストン７２の下方にスライドする速度は注射筒６８の下方にスライドする速度より大きく、この時、ピストン７２は液体貯蔵チャンバ７０の中の薬液を自動的に患者の体に注射して緊急治療を行い、ウォーム５０とウォームホイール５１との間は減速で伝動することで、注射筒６８とピストン７２との下方にスライドする速度は遅く、注射筒６８の注射が患者を傷つけることを避け、電動機４２を逆方向に回転させると、注射筒６８を抜き出して収納チャンバ６９の中に収めることができる。
【００３０】
本発明の有益的な効果は：本発明は携帯しやすくて薬物を貯蔵でき、患者の心拍数と体温をリアルタイムに監視でき、患者は急病の発作が起こった時、内服薬を自動的に送り出し又は薬液を自動的に注射して緊急治療を行い、患者の命の安全を保障する。
【００３１】
上記の方式によって、当業者は本発明の範囲内で作動モードに基づいて様々な変わりを行うことができる。
【要約】
【課題】本発明は携帯しやすい救急医療設備を開示した。
【解決手段】
リストバンドを含み、前記リストバンドの中にはリストバンド穴が前後に貫通するように設置され、前記リストバンドの上端には収納ケースが固定的に連結され、前記収納ケースの中には伝動チャンバが設置され、前記伝動チャンバの中には薬物送り装置と注射装置が設置され、前記薬物送り装置は丸薬を収納でき、且つ前記丸薬を押出せ、前記注射装置は薬物を自動的に注射でき、本発明は携帯しやすくて薬物を貯蔵でき、患者の心拍数と体温をリアルタイムに監視でき、患者は急病の発作が起こった時、内服薬を自動的に送り出し又は薬液を自動的に注射して緊急治療を行い、患者の命の安全を保障する。
【選択図】図１【図１】
0006784878.tif 000002
【図２】
0006784878.tif 000003
【図３】
0006784878.tif 000004
【図４】
0006784878.tif 000005
【図５】
0006784878.tif 000006
【図６】
0006784878.tif 000007
【図７】
0006784878.tif 000008
【図８】
0006784878.tif 000009